(57)【特許請求の範囲】
【請求項１】
照明負荷を調光制御するための調光データ信号を出力する親機と；この親機から出力される調光データ信号をＰＷＭ又は直流の調光信号に変換して出力する調光信号端末器と；この調光信号端末器から出力される調光信号により照明負荷を調光制御する調光器と；調光器に接続されて調光器により調光制御され照明演出をするための調光制御された光を射出する照明負荷と；を具備する照明演出用照明制御システムであって、
前記調光信号端末器は、
前記親機から出力される信号を検出する伝送信号検出手段と；
照明負荷における光射出を消灯、点灯または現状維持のいずれかとするための調光レベルを設定する調光出力設定手段と；
前記伝送信号検出手段にて前記親機からの信号がないことが検出された場合に前記調光出力設定手段に設定された調光レベルに基づく調光出力の調光信号を出力する伝送信号断時調光信号出力手段と；
を具備することを特徴とする照明演出用照明制御システム。
【請求項２】
前記調光出力設定手段は手動設定可能なスイッチであり、前記伝送信号断時調光信号出力手段は、このスイッチの設定に基づく調光出力の調光信号を出力することを特徴とする請求項１記載の照明演出用照明制御システム。
【請求項３】
前記調光出力設定手段はメモリであり、このメモリに調光出力を設定するための設定情報を書き込むと共に前記調光信号端末器に割り当てられるアドレスを書き込む設定器を更に具備し、前記伝送信号断時調光信号出力手段は、前記メモリに書き込まれる設定情報に基づく調光出力の調光信号を出力することを特徴とする請求項１記載の照明演出用照明制御システム。
【請求項４】
前記調光出力設定手段はメモリであり、前記親機は、このメモリに調光出力を設定するための設定情報を書き込む設定情報書込手段を具備することを特徴とする請求項１記載の照明演出用照明制御システム。
【発明の詳細な説明】
【０００１】
【発明の属する技術分野】
本発明は、多数の照明負荷を複数の端末器を介して親機から集中負荷制御する照明演出用照明制御システムに係り、特に複数の端末器を時分割多重伝送により個別あるいはグループ別に制御する照明演出用照明制御システムに関する。
【０００２】
【従来の技術】
従来、上述した照明制御システムは、照明負荷を調光制御するための調光データ信号を出力する親機と、この親機と伝送線を介して接続され、該親機から出力される調光データ信号をＰＷＭの調光信号に変換して出力する調光信号端末器と、この調光信号端末器から出力される調光信号により照明負荷を調光制御する調光器とを備えて構成される。
また、この種のシステムには、親機が故障した時や親機との間の伝送線が断線した時又は短絡した時に調光信号端末器からの調光信号の出力を禁止して照明負荷を全点灯状態にするフェールセーフ機能が設けられたものもある。
【０００３】
【発明が解決しようとする課題】
ところで、このフェールセーフ機能を有する従来の照明制御システムにあっては、親機が故障した時や親機との間の伝送線が断線又は短絡した時に照明負荷を全点灯状態にすることから、演劇などの舞台のように、照明演出している場所では雰囲気を壊す恐れがあるということから、用途が限られるという問題点があった。
【０００４】
そこで本発明は、親機の故障や伝送線の断線もしくは短絡が生じても使用場所に応じて点灯状態を変えることができる照明演出用照明制御システムを提供することを目的としている。
【０００５】
【課題を解決するための手段】
上記目的を達成するため、請求項１記載の発明による照明演出用照明制御システムは、照明負荷を調光制御するための調光データ信号を出力する親機と；この親機から出力される調光データ信号をＰＷＭ又は直流の調光信号に変換して出力する調光信号端末器と；この調光信号端末器から出力される調光信号により照明負荷を調光制御する調光器と；調光器に接続されて調光器により調光制御され照明演出をするための調光制御された光を射出する照明負荷と；を具備する照明演出用照明制御システムであって、前記調光信号端末器は、前記親機から出力される信号を検出する伝送信号検出手段と；照明負荷における光射出を消灯、点灯または現状維持のいずれかとするための調光レベルを設定する調光出力設定手段と；前記伝送信号検出手段にて前記親機からの信号がないことが検出された場合に前記調光出力設定手段に設定された調光レベルに基づく調光出力の調光信号を出力する伝送信号断時調光信号出力手段と；を具備することを特徴とする。
【０００６】
この構成によれば、親機と調光器を接続した調光信号端末器とを伝送線を介して接続し、親機から調光データ信号が調光信号端末器に向けて送信されると、調光信号端末器から調光データ信号に基づいたＰＷＭもしくは直流の調光信号が出力され、調光器に供給される。調光器はこの調光信号に基づいて例えば位相制御によりランプなどの照明負荷の調光制御を行う。
【０００７】
そして、調光信号端末器において、親機の故障又は伝送線の断線もしくは短絡により、伝送信号有検出部にて親機からの信号が検出されなくなると、伝送信号断時調光信号出力手段が調光出力設定手段の設定に基づく調光出力の調光信号を出力する。例えば、調光出力設定手段による設定が点灯であれば１００％（直流の場合は例えば１０Ｖ）、消灯であれば０％（直流の場合は例えば０Ｖ）、現状維持であればそのままの点灯レベル（直流の場合０〜１０Ｖ）を出力する。
【０００８】
このように、本発明によれば、照明負荷の点灯状態を変えることができるので、演劇などの舞台のように照明演出している場所でも予め親機の故障や伝送線の断線もしくは短絡が生じた時の点灯状態を設定しておくことによって、それらの障害が発生してもその場の雰囲気を壊すようなことが起こらず、従来よりも使用用途の広い照明制御システムの提供が可能になる。
【０００９】
請求項２記載の発明による照明演出用照明制御システムは、前記調光出力設定手段は手動設定可能なスイッチであり、前記伝送信号断時調光信号出力手段は、このスイッチの設定に基づく調光出力の調光信号を出力することを特徴とする。この構成によれば、調光出力の設定をスイッチ操作によって行えるので、調光出力の設定を容易に行うことができる。
【００１０】
請求項３記載の発明による照明演出用照明制御システムは、前記調光出力設定手段はメモリであり、このメモリに調光出力を設定するための設定情報を書き込むと共に前記調光信号端末器に割り当てられるアドレスを書き込む設定器を更に具備し、前記伝送信号断時調光信号出力手段は、前記メモリに書き込まれる設定情報に基づく調光出力の調光信号を出力することを特徴とする。この構成によれば、調光信号端末器に割り付けるアドレスを記憶させるメモリに調光出力を設定するための設定情報を記憶させるので、メモリ使用の効率化を図ることができ、コストダウンが図れる。
【００１１】
請求項４記載の発明による照明演出用照明制御システムは、前記調光出力設定手段はメモリであり、前記親機は、このメモリに調光出力を設定するための設定情報を書き込む設定情報書込手段を具備することを特徴とする。この構成によれば、親機からメモリに調光出力を設定するための設定情報を書き込めるので、容易に調光出力の設定を行うことができる（即ち、調光信号端末器本体のカバーを開けて設定する必要がないので、設定が容易になる）。
【００１２】
【発明の実施の形態】
以下、図面を参照して本発明の実施の形態について説明する。
（I ）第１の実施の形態
図１は本発明に係る照明制御システムの第１の実施の形態の構成を示すブロック図である。
この第１の実施の形態の照明制御システム１は、調光制御するための調光データ信号を出力する親機２と、この親機２と伝送線３を介して接続され、時分割多重方式により親機２との間で信号の授受を行い、親機２から調光データ信号が送信されると、その調光データ信号を受信した後、調光信号（直流信号）に変換して出力する調光信号端末４と、この調光信号端末４から出力される調光信号によりランプ（照明負荷）６を位相制御方式により調光制御する調光器５と、商用電源（交流１００Ｖ）を調光信号端末４の動作に必要な交流２４Ｖに降圧して出力するリモコントランス７と、親機２と伝送信号線３を介して接続され、時分割多重方式により親機２との間で信号の授受を行い、親機２に対してはランプ６の調光を行うデータ信号を送信するアップ／ダウンスイッチ８とを備えて構成される。
【００１３】
上記調光信号端末４及びアップダウンスイッチ８は、通常は複数個設けられており、それぞれが伝送線３に接続されて、親機２との間で多重伝送方式により信号の授受を行う。この場合、各調光信号端末４及びアップダウンスイッチ８にはアドレスが割り当てられており、親機２はこのアドレスにより各調光信号端末４及びアップダウンスイッチ８を管理する。アップ／ダウンスイッチ８には一つの調光信号端末４を割り付けることも、複数の調光信号端末４を一つのグループとして割り付けることもある。調光信号端末４には複数台（実施の形態では４台）の調光器５が接続可能になっている。
【００１４】
上記アップ／ダウンスイッチ８のアップボタン８ａを押すことで、親機２に向けてアップデータ信号が送信される。親機２はこのアップデータ信号を受信することで予め割り付けられた一つ調光信号端末４又は複数の調光信号端末の夫々に例えば「＋１」した調光データ信号を送信する。この調光データ信号を受信した一つ調光信号端末４又は複数の調光信号端末の夫々は、自己に接続された調光器５のうちの親機２から指定されたものにランプ６の輝度を例えば「＋１」する調光信号を出力する。
ダウンボタン８ｂを押した場合には、親機２にダウンデータ信号が送信される。親機２はこのダウンデータ信号を受信することで、予め割り付けられた一つ調光信号端末４又は複数の調光信号端末の夫々に例えば「−１」した調光データ信号を送信する。この調光データ信号を受信した一つ調光信号端末４又は複数の調光信号端末の夫々は、自己に接続された調光器５のうちの親機２から指定されたものにランプ６の輝度を例えば「−１」する調光信号を出力する。
【００１５】
調光信号端末４は、図２のブロック図に示すように、リモコントランス７から出力される交流２４Ｖをこの端末４の動作に必要な直流に変換して出力する直流電源１０と、この直流電源１０から出力される直流電圧をＤ／Ａ変換部１２に必要な基準電圧を生成する基準電圧部１１と、制御部１７から出力される調光データをディジタル／アナログ変換するＤ／Ａ変換部１２と、調光信号端末４本体に割り付けられるアドレスを記憶するアドレス設定部１３と、スイッチ面が調光信号端末４本体ケースから露出するようにして設けられ、例えばＤＩＰスイッチ等の複数の異なる設定が可能なスイッチ（調光出力設定手段）１４と、親機２から送信される調光データ信号を受信して出力すると共に制御部１７から出力される調光データ信号を親機２へ向けて送信する伝送送受信部１５と、親機２から出力される信号を検出する伝送信号検出部（伝送信号検出手段）１６と、上記各部を制御する制御部１７とを備えて構成される。
なお、上記Ｄ／Ａ変換部１２と制御部１７は伝送信号断時調光信号出力手段を構成する。
【００１６】
上記伝送送受信部１５は、全波整流器１８と、この全波整流器１８の入力端の一端と（−）出力端との間に介挿される抵抗１９及び定電圧ダイオード２０と、全波整流器１８の出力端間に介挿される抵抗２１、２２及びトランジスタ２３とから構成される。親機２からの調光データ信号は抵抗１９と定電圧ダイオード２０との接続部分から取り出され、親機２へのデータ信号の送信はトランジスタ２２をオン／オフ駆動することで行われる。上記伝送信号検出部１６は、ダイオード２４とコンデンサ２５とからなる平滑回路と、この平滑回路の出力側に並列に介挿される抵抗２６及び定電圧ダイオード２７とから構成される。親機２からの伝送信号の有無は抵抗２６と定電圧ダイオード２７との接続部分の電圧の有無により判定される。
【００１７】
このように構成された照明制御システムにおいて、親機２から調光データ信号が調光信号端末４に向けて送信されると、調光信号端末４の伝送送受信部１５にて受信され、受信された調光データ信号が制御部１７に取り込まれる。制御部１７は、取り込んだ調光データ信号をＤ／Ａ変換器１２に供給する。Ｄ／Ａ変換器１２に調光データ信号が供給されると、その調光データ信号に基づいた直流の調光信号が出力され、調光器５に供給される。調光器５はこの調光信号に基づいて例えば位相制御によりランプ６の調光制御を行う。
【００１８】
一方、調光信号端末４において、親機２の故障又は伝送線３の断線もしくは短絡が発生して親機２からの信号が来なくなると、制御部１７はスイッチ１４の設定値を読み込み、その値に基づく調光出力の調光信号を出力する。例えば、スイッチ１４による設定が図２に示す点灯（ＯＮ，ＯＮ）であれば直流１０Ｖを出力し、消灯（ＯＮ，ＯＦＦ）であれば０Ｖを出力し、現状維持（ＯＦＦ，ＯＮ）又は（ＯＦＦ，ＯＦＦ）であればそのままの点灯レベル（直流０〜１０Ｖ）を出力する。
【００１９】
このように、この第１の実施の形態では、親機２と調光信号端末４とを伝送線３を介して接続し、親機２から調光データ信号が調光信号端末４に向けて送信されると、調光信号端末４から調光データ信号に基づいた直流の調光信号が出力され、調光器５に供給される。調光器５はこの調光信号に基づいて例えば位相制御によりランプ６の調光制御を行う。
そして、調光信号端末４において、親機２の故障又は伝送線３の断線もしくは短絡により親機２からの信号が来なくなると、制御部１７がスイッチ１４の設定値に基づく調光出力の調光信号を出力する制御を行う。
【００２０】
これにより、演劇などの舞台のように照明演出している場所でも予め親機２の故障や伝送線３の断線もしくは短絡が生じた時の点灯状態を設定しておくことで、それらの障害が発生してもその場の雰囲気を壊すようなことが起こらず、従来よりも使用用途の広い照明制御システムの提供が可能になる。
また、調光出力の設定を行うためのスイッチ１４をそのスイッチ面が調光信号端末４本体ケースから露出するようにして設けることで、調光出力の設定を極めて容易に行うことができる（即ち、調光信号端末４本体のカバーを開けて設定する必要がないので、設定が容易になる）。
なお、上記実施の形態では、調光信号端末４から調光データ信号に基づいた直流の調光信号を出力するようにしたが、調光データ信号に基づいたＰＷＭ信号を出力するようにしても良い。
【００２１】
（II）第２の実施の形態
図３は本発明に係る照明制御システムの第２の実施の形態の調光信号端末４０の構成を示すブロック図である。なお、この図において、前述した図２と共通する部分には同一に符号を付けている。
この第２の実施の形態の調光信号端末４０は、親機２の故障や伝送線３の断線もしくは短絡等の障害発生時のランプ６の点灯状態を設定する設定情報を記憶したメモリ４１を有し、このメモリ４１に記憶された設定情報を制御部１７が読み出すようにしたものである。そして、例えば、記憶された設定情報が２ビットのデータで、（１，１）が点灯であれば、Ｄ／Ａ変換部１２からは１０Ｖ、（１，０）が消灯であれば、０Ｖ、（０，１）又は（０，０）が現状維持であれば、そのままの点灯レベル（０〜１０Ｖ）が出力される。
メモリ４１としては、予め設定情報を書き込んでおく必要があることから、フラッシュメモリ等の不揮発性メモリが好適である。
【００２２】
（IIＩ）第３の実施の形態
図４は本発明に係る照明制御システムの第３の実施の形態の調光信号端末４の構成を示すブロック図である。なお、この図において、前述した図３と共通する部分には同一に符号を付けている。
この第３の実施の形態の調光信号端末４０は、外部からメモリ４１に設定情報を書き込む外部設定器６０と、その外部設定器６０を接続するための外部設定器インタフェース５１とを有している。この外部設定器６０は調光信号端末５０のアドレスの設定も行う。勿論、このアドレスはメモリ４１に書き込まれる。
メモリ４１としては、書き込み／消去（更新する為に消去する）された設定情報が保持されるようにする必要があることから、不揮発性メモリが好適である。
なお、メモリ４１への設定情報の書き込みを外部設定器６０に依らず、使用初期時点で親機２にて行うようにしても良い。この場合、親機２には設定情報を書き込むための設定情報書込部（設定情報書込手段）７０を設ける。
【００２３】
【発明の効果】
請求項１記載の発明によれば、親機の故障又は伝送線の断線もしくは短絡により、伝送信号有検出部が親機からの信号を検出できなくなると、伝送信号断時調光信号出力手段が調光出力設定手段の設定に基づく調光出力の調光信号を出力するので、演劇などの舞台のように照明演出している場所など、使用する場所に応じて予め親機の故障や伝送線の断線もしくは短絡が生じた場合の点灯状態を設定しておくことで、これらの障害が発生してもその場の雰囲気を壊すようなことが起こらず、従来よりも使用用途の広い照明制御システムの提供が可能になる。
【００２４】
請求項２記載の発明によれば、調光出力の設定をスイッチ操作によって行えるので、調光出力の設定を容易に行うことができる。
【００２５】
請求項３記載の発明によれば、調光信号端末器に割り付けるアドレスを記憶させるメモリに、調光出力を設定するための設定情報を記憶させるので、メモリ使用の効率化を図ることができ、コストダウンが図れる。
【００２６】
請求項４記載の発明によれば、親機からメモリに調光出力を設定するための設定情報を書き込むので、調光出力の設定を容易に行うことができる（即ち、調光信号端末器本体のカバーを開けて設定する必要がないので、設定が容易になる）。
【図面の簡単な説明】
【図１】本発明に係る照明制御システムの第１の実施の形態の構成を示すブロック図である。
【図２】第１の実施の形態の照明制御システムの調光信号端末の構成を示すブロック図である。
【図３】本発明に係る照明制御システムの第２の実施の形態の調光信号端末の構成を示すブロック図である。
【図４】本発明に係る照明制御システムの第３の実施の形態の調光信号端末の構成を示すブロック図である。
【符号の説明】
１  照明制御システム
２  親機
３  伝送線
４  調光信号端末
５  調光器
６  ランプ
７  リモコントランス
８  アップ／ダウンスイッチ
１０  直流電源
１１  基準電圧部
１２  Ｄ／Ａ変換部
１３  アドレス設定部
１４  スイッチ
１５  伝送送受信部
１６  伝送信号検出部
１７  制御部
４０  調光信号端末
４１  メモリ
５０  調光信号端末
５１  外部設定器インタフェース
６０  外部設定器
７０  設定情報書込部
【図１】
0004051806.tif 000002
【図２】
0004051806.tif 000003
【図３】
0004051806.tif 000004
【図４】
0004051806.tif 000005